(57)【要約】【課題】使用者が必要に応じて取付けることができる載置台を提供する。【解決手段】上記課題を解決するために本発明に係る載置台１は、平面視で、一端に第一壁９２に着脱可能に取付けられる第一板２１及び吸盤６と、一端に対抗する他端に蝶番７とを有する支持部２と、支持部２に蝶番７を介して繋がっている載置部４と、を有し、載置部４は、支持部２と、上面に物が載置されるときに配置する載置位置と、載置部に対して回動して配置する待機位置との間を相互に移動可能に繋がっていることを特徴とする。【選択図】図１
2019170847.tif 000002
【特許請求の範囲】
【請求項１】
平面視で、一端に被固定物に着脱可能に取付けられる着脱機構と、前記一端に対抗する他端に回動機構とを有する支持部と、
前記支持部に前記回動機構を介して繋がっている載置部と、を有し、
前記載置部は、上面に物が載置されるときに配置する載置位置と、前記支持部に対して回動して配置する待機位置との間を相互に移動可能に前記回動機構と繋がっていることを特徴とする、
載置台。
【請求項２】
前記支持部は、前記着脱機構が取付けられる第一板と、前記第一板と略直角に繋がる第二板と、を有し、前記第二板の前記第一板と繋がっている側とは反対側で、前記回動部材が取り付けられている、
請求項１に記載の載置台。
【請求項３】
前記載置部は、前記第一板が位置する側に回動するように、前記支持部と繋がっている、
請求項２に記載の載置台。
【請求項４】
前記固定機構は、２つ以上の吸盤である、
請求項１〜請求項３の何れか一項に記載の載置台。
【請求項５】
前記載置部は、前記被覆部と当接するものであり、
前記載置部が、前記載置位置に配置されたときに、前記第一板と前記載置部により形成される矩形状の面の長辺の長さが、前記被固定物から前記被覆部の前記載置部と当接する箇所までの距離よりも長く形成されている、
請求項２〜請求項４の何れか一項に記載の載置台。
【発明の詳細な説明】
【技術分野】
【０００１】
本発明は、必要に応じて所望の被覆物の上面を覆い、その上に物を載置することができる載置台に関する。
【背景技術】
【０００２】
従来から、家庭において、レンジ台の上に設置され、または、システムキッチンに組み込まれているガスレンジが用いられている。ガスレンジは、その上面を露出したまま設置されていることが多く、ガスレンジの上方の空間を、ガスレンジを用いる場合の他に、有効に使用することができなかった。
【０００３】
そのため、ガスレンジの上方の空間を有効に活用するために様々な提案がされている。例えば、特許文献１には、ガスレンジの上面を覆う蓋を、ヒンジを用いてコンロ台に回動可能に取付けられたガスレンジが提案されている。
【０００４】
特許文献１のガスレンジでは、ヒンジがコンロ台の奥側に取付けられており、蓋を水平方向に向けたときにバーナの上面を覆い、蓋の上面に物を置いて調理することができる。一方、鉛直方向に向けたときにバーナの上面を開放する。これにより、ガスレンジの上方の空間を有効に活用でき、ガスレンジもこれまでと同様に使用することができる。
【先行技術文献】
【特許文献】
【０００５】
【特許文献１】特開２０１４−２２４６５３号公報
【発明の概要】
【発明が解決しようとする課題】
【０００６】
しかし、特許文献１のガスレンジは、蓋が予め取付けられている。そのため、この蓋を使用するためには、蓋が予め設けられたガスレンジを新たに購入しなければならず、使用者の負担が大きい。
また、マンションなどを借りて住む場合には、ガスレンジが予め設置されている場合も多く、その場合に利用することができなかった。
さらに、場合によっては、ガスレンジ以外の上方の空間を有効に利用したい場合もあり、その場合に設置することができる載置台の開発が望まれている。
【０００７】
以上より、本発明が解決しようとする課題は、使用者が必要に応じて取付けることができる載置台を提供することである。
【課題を解決するための手段】
【０００８】
上記課題を解決するために本発明に係る載置台は、平面視で、一端に被固定物に着脱可能に取付けられる着脱機構と、前記一端に対抗する他端に回動機構とを有する支持部と、前記支持部に前記回動機構を介して繋がっている載置部と、を有し、前記載置部は、上面に物が載置されるときに配置する載置位置と、前記支持部に対して回動して配置する待機位置との間を相互に移動可能に前記回動機構と繋がっていることを特徴とする。
【０００９】
前記支持部は、前記着脱機構を構成する第一板と、前記第一板と略直角に繋がる第二板と、を有し、前記第二板の前記第一板と繋がっている側とは反対側で、前記回動部材が取り付けられていることが好ましい。
【００１０】
前記載置部は、前記第一板が位置する側に回動するように、前記支持部と繋がっていることが好ましい。
【００１１】
前記固定機構は、２つ以上の吸盤であることが好ましい。
【００１２】
前記載置部は、前記被覆部と当接するものであり、前記載置部が、前記載置位置に配置されたときに、前記第一板と前記載置部により形成される矩形状の面の長辺の長さが、前記被固定物から前記被覆部の前記載置部と当接する箇所までの距離よりも長く形成されていることが好ましい。
【発明の効果】
【００１３】
本発明は、以上のように構成したので、使用者が必要に応じて取付けることができる載置台を提供することができる。
【図面の簡単な説明】
【００１４】
【図１】本発明の実施形態の載置台の斜視図である。
【図２】（ａ）は図１に記載の載置台の平面図であり、（ｂ）は側面図である。
【図３】（ａ）は図２（ａ）の吸盤を外した背面図であり、（ｂ）は吸盤の側面図であり、（ｃ）は蝶番の平面図である。
【図４】（ａ）は載置部が待機位置に配置している状態を示す説明図、（ｂ）は載置部が待機位置に配置している状態を示す説明図である。
【図５】（ａ）〜（ｄ）は、その他の実施形態の側面図である。
【発明を実施するための形態】
【００１５】
以下、図面を参照しつつ、本発明に載置台の一実施形態について説明する。
本実施形態の載置台１は、被覆物の周囲の壁等に取付けられるものである。本実施形態においては、載置台１は、図１に示すように、被覆物であるガスレンジ８の高さ方向Ｈの上側Ｈ１で、第一壁９２に取付けられる。これにより、ガスレンジ８の高さ方向Ｈの上側Ｈ１の空間を有効に活用することができる。
【００１６】
まず、ガスレンジ８について説明し、その後に、載置台１について説明する。
なお、本明細書において、高さ方向Ｈの上側Ｈ１の反対側を下側Ｈ２とする。また、使用者とガスレンジ８が対抗する側を、奥行方向Ｄの前側Ｄ１としその反対側を後側Ｄ２とする。さらに、高さ方向Ｈと奥行方向Ｄに直交する方向を幅方向Ｗとする。上側Ｈ１と下側Ｈ２、及び前側Ｄ１と後側Ｄ２は、相対的なものである。
【００１７】
＜ガスレンジ８＞
ガスレンジ８は、図１に示すように、コンロ本体８１と、その上面で幅方向Ｗに沿って直線上に並んでいるコンロバーナ８２ａ及びコンロバーナ８２ｂと、コンロ本体８１の奥行方向Ｄの前側Ｄ１の側面に操作部８３が設けられている。
なお、コンロバーナ８２ａとコンロバーナ８２ｂに分ける必要がない場合には、単にコンロバーナ８２として説明することもある。
【００１８】
ガスレンジ８は、図１に示すように、台所９に設けられたガスコンロ８の設置場所９１に配置されている。具体的には、ガスレンジ８は、第一壁９２に、コンロバーナ８２ａとコンロバーナ８２ｂに対向しており、第二壁９３に、コンロバーナ８２ａが対向するように設置場所９１に配置されている。
ガスレンジ８は、設置場所９１の周囲に設けられている第一壁９２及び第二壁９３から、所定の距離だけ離れて配置されている。
【００１９】
＜載置台１＞
次に、載置台１について説明する。
載置台１は、図１に示すように、一端に被固定物である第一壁９２に着脱可能に取付けられる着脱機構を有する支持部２と、支持部２に回動機構を介して繋がっている載置部４と、を有する。
載置台１は、図４（ｂ）に示すように、ガスレンジ８の高さ方向Ｈの上側Ｈ１の空間を使用したい場合には、載置部４を待機位置Ｐ２から載置位置Ｐ1まで移動させる。これにより、ガスレンジ８の高さ方向Ｈの上側Ｈ１の空間を、調理等のときに、有効に使用することができる。一方、ガスレンジ８を使用したい場合には、図４（ａ）に示すように、載置位置Ｐ1から待機位置Ｐ２まで移動させる。
以下に、載置台１を構成する要素について述べる。
【００２０】
＜支持部２＞
支持部２は、載置部４を、回動可能な状態で支持するためのものである。また、回動した載置部４を所望の載置位置Ｐ1と待機位置Ｐ２に交互に配置させるためものである。
【００２１】
支持部２は、図２（ａ）に示すように、平面視で、奥行方向Ｄの後側Ｄ２の端に被固定物である第一壁９２に着脱可能に取付けられる着脱機構である吸盤６を有し、奥行方向Ｄの前側Ｄ１の端に載置部４を回動可能に支持するための回動機構である蝶番７を有している。支持部２の幅方向Ｗの幅は、ガスレンジ８の幅方向の幅と等しいか、略等しい。
【００２２】
支持部２は、図２（ｂ）に示すように、側面視でＬ字状に形成されている。具体的には、支持部２は、載置台１が第一壁９２に取付けられたときに、第一壁９２と対抗する第一板２１と、第一板２１の長辺の一方の端２１ａと繋がる第二板２２とを有する。
【００２３】
第一板２１は、図３（ａ）に示すように、着脱機構である吸盤６を取付けるための挿入孔２３が幅方向Ｗに沿って２つ形成されている。
挿入孔２３同士の間隔は、支持部２の幅方向Ｗの寸法により、適宜変更することができる。
【００２４】
各々の挿入孔２３は、端２１ａの近傍に形成された太孔２４と、太孔２４から、端２１ａ反対側の端２１ｂに向けて、第一板２１の中程まで伸びる細孔２５とを有する。
太孔２４は、その内径が、後述する吸盤６の固定部６２の頭部６３の直径よりも大きく形成されている。
細孔２５は、その内径が、後述する吸盤６の固定部６２の頭部６３の直径よりも小さく形成されているが、頭部６３と繋がる首部６４の直径よりも大きく形成されている。
これにより、頭部６３を太孔２４に通した後、首部６４を細孔２５の内側に配置させることにより、吸盤６を第一板２１に固定することができる。
【００２５】
第二板２２は、図２（ａ）に示すように、前側Ｄ１の端の近傍に、回動機構である蝶番７が取り付けられている。
具体的には、二つの蝶番７の各々の第一羽７１が、第二板２２の上面と当接した状態で、取付けられる。そして、二つの蝶番７の各々の第二羽７２が後述する載置部４に取り付けられることにより、支持部２は、載置部４を回動可能に支持することができる。
【００２６】
支持部２には、アルミニウム若しくはアルミニウム合金、又はステンレス鋼等の金属材料から形成させることができる。さらに、アルミニウム若しくはアルミニウム合金は、その表面をアルマイト処理（陽極酸化処理）したものを好適に用いることができる。
支持部２の厚さは、後述する載置部４と等しいか略等しい。
【００２７】
以上のように構成する支持部２は、第一板２１の第二板２２と繋がる端が、対抗する他方の端よりも高さ方向Ｈの下側Ｈ２に位置するように、第一壁９２に取り付けられる。つまり、第二板２２が、第一板２１よりも高さ方向Ｈの上側Ｈ１に位置することになる。
これにより、後述す着脱機構である吸盤６を、ガスレンジ８が邪魔にならずに、簡単に第一壁９２に取り付けることができる。
また、ガスレンジ８を使用しても、コンロバーナ８２から生じる熱により、吸盤６が機能を損なうのを防ぐことができる。
【００２８】
＜載置部４＞
載置部４は、載置位置Ｐ1に位置したときに、その上面４１に物が載置されるものである。
載置部４は、図１に示すように、ガスレンジ８の上が物置台として使用できる程度の広さで形成されている。
載置部４は、図２（ａ）に示すように、平板状に形成されている。
【００２９】
載置部４は、図２（ａ）に示すように、奥行方向Ｄの後側Ｄ２の端４ａで、蝶番７により支持部２をつながっている。載置部４は、端４ａと対向する端４ｂが、ガスレンジ８から出っ張らないように形成されている。
載置部４は、図２（ａ）及び（ｂ）に示すように、ガスレンジ８と対向する下面４３の一部に、ガスレンジ８と当接する当接部４４が形成されている。当接部４４は、下面４３から、高さ方向Ｈの下側Ｈ２に向けて出っ張って形成されている。
当接部４４の高さ方向Ｈの高さは、図４（ｂ）に示すように、ガスレンジ８の本体８１から、コンロバーナ８２の調理器具と当接するところまでの高さと等しいか、略等しい。これにより、端４ｂを境界位置Ｐ３より前側Ｄ１に位置させた状態で使用者が載置部４から手を離しても、載置部４が載置位置Ｐ１に位置したときに、当接部４４が本体８１に当接して、載置部４がコンロバーナ８２に強く当たるのを軽減することができる。また、載置部４が載置位置Ｐ１に位置するときに、載置部４がコンロバーナ８２に強く当たることにより大きな音が生じるのを防ぐことができる。さらに、載置位置Ｐ１に位置した載置部４の上面４１により安定して物を置いたりすることができる。さらにまた、当接部４４を摘みとして用いることもできる。
なお、当接部４４を形成する素材としては特に限定されないが、例えばゴム、スポンジ等の弾性体を用いることができる。
【００３０】
載置部４は、本実施形態では、平面視で四角形状に形成されているが、この形状に限定されない。例えば、六角形状などの他の多角形状でもよい。
【００３１】
載置部４には、アルミニウム若しくはアルミニウム合金、又はステンレス鋼等の金属材料から形成させることができる。さらに、アルミニウム若しくはアルミニウム合金は、その表面をアルマイト処理（陽極酸化処理）したものを好適に用いることができる。
【００３２】
載置部４の厚さは、薄すぎると、その上面に安定した状態で物を載置することができない恐れがあり、厚すぎると、重量が大きくなり載置部４を待機位置Ｐ２に継続して配置させておくことが困難になる恐れがある。そのため、載置部４の厚さは、１．０ｍｍ〜２．０ｍｍが好ましく、１．２ｍｍ〜１．８ｍｍがより好ましく、１．５ｍｍ〜１．７ｍｍであることがさらにより好ましい。
【００３３】
載置部４は、図１に示すように、載置位置Ｐ１に配置されることにより、ガスレンジ８を覆うことができる。このため、ガスレンジ８のコンロバーナ８２の周囲が調理により汚れていても、載置部４により見えなくすることができる。また、ガスレンジ８の上をもの置台にすることができるので、使用者が台所９で使用できる領域を広くすることができる。
また、載置部４が待機位置Ｐ２に配置することにより、ガスレンジ８を使用して調理を行うときに、飛んだ油などが載置部４に付着することになり、第一壁９２が汚れるのを防ぐことができる。そして、載置部４を載置位置Ｐ１に配置させれば、油などが付着している面を見えなくすることができる。これにより、台所９が綺麗な状態を維持することができる。
【００３４】
＜着脱機構＞
着脱機構は、載置台１を、第一壁９２等の被固定物に、繰り返し着脱させるためのものである。
本実施形態において、着脱機構として、図２（ａ）に示すように、吸盤６を有する。
吸盤６は、図３（ｂ）に示すように、第一壁９２に吸着される本体６１と、本体６１と繋がり第一板２１に固定される固定部６２とを有する。固定部６２は、先頭に頭部６３と、頭部６３と本体６１を繋げる首部６４とを有する。
【００３５】
頭部６３は、その直径が、太孔２４の内径よりは小さいが、細孔２５の内径よりは大きい。
首部６４は、その直径が、太孔２４の内径及び細孔２５の内径よりも小さい。
そのため、吸盤６は、頭部６３を太孔２４に通した後に、首部６４を細孔２５の内側に配置させることにより、吸盤６を支持部２に固定させることができる。
【００３６】
＜回動機構＞
回動機構は、載置部４を載置位置Ｐ１と待機位置Ｐ２との間を相互に回動可能にさせるためのものである。
本実施形態において、回動機構として、図２（ａ）に示すように、蝶番７が用いられている。
蝶番７は、図３（ｃ）に示すように、いわゆる抜き差し蝶番であり、開きが１８０°である。そのため、蝶番７が開き切ると、載置部４を載置位置Ｐ１に位置させることができる。
蝶番７が抜き差し蝶番であることにより、載置台１を組み立てるときの作業負担を軽減させることができ、載置部４を支持部２から外すことも、容易に行うことができる。
【００３７】
蝶番７により、図４（ａ）及び（ｂ）に示すように、載置部４を載置位置Ｐ１と待機位置Ｐ２との間を相互に回動可能にさせることができる。これにより、載置部４は、載置位置Ｐ１から、載置部４が直立した状態の境界位置Ｐ３を経て、待機位置Ｐ２に配置される。また、待機位置Ｐ２から、載置部４が直立した状態の境界位置Ｐ３を経て、載置位置Ｐ1に配置される。
【００３８】
載置部４は、端４ｂを境界位置Ｐ３より前側Ｄ１に位置させると、載置位置Ｐ１まで移動する。また、端４ｂを境界位置Ｐ３より後側Ｄ２の前側Ｄ１に位置させると、待機位置Ｐ２まで移動する。つまり、使用者は、使用する際に、載置位置Ｐ1又は待機位置Ｐ２まで載置部４を持って移動させなくてもよい。
【００３９】
以上のように構成される載置台１は、その大きさを、被載置物の大きさにより適宜変更することができるが、一例としてあげると、ガスレンジ８を被載置物とする場合に、平面視で、奥行方向Ｄの長さは、載置部４が載置位置Ｐ１に位置した状態で５００ｍｍ〜６５０ｍｍであり、幅方向Ｗの長さが６００ｍｍ〜７００ｍｍである。
【００４０】
＜載置台１により奏する効果＞
次に載置台１により奏する効果について説明する。
載置台１は、図１に示すように、吸盤６により、第一壁９２に繰り返し着脱可能に取付けられている。これにより、従来から使用されているガスレンジ８に簡単に使用することができるので、使用者の費用負担を軽減することができる。
【００４１】
また、載置台１は、回動機構を構成する第一板２１と、第一板２１と略直角に繋がる第二板２２と、を有する支持部２と、支持部２の第二板２２と蝶番７を介して繋がる載置部４と、を有している。載置台１がこのような簡単が構造にされていることにより、製造者の作業負担を軽減することができる。
【００４２】
さらにまた、着脱機構を構成する吸盤６と第一板２１が、第二板２２よりも高さ方向Ｈの上側Ｈ１に位置した状態で取付けられるので、吸盤６が痛むのを防ぐことができる。
【００４３】
また、着脱機構として、吸盤６が用いられていることにより、第一壁９２を傷つけることなく、載置台１を取付けることができる。
【００４４】
＜載置台１の取り付け方法＞
次に、載置台１の取り付け方法について説明する。
まず、載置台１を、図４（ａ）に示すように、吸盤６と第一板２１が、第二板２２よりも高さ方向Ｈの上側Ｈ１に位置した状態にする。
次に、載置台１を、吸盤６の本体６１が第一壁９２と対向するように持ち、載置部４が載置位置Ｐ１でガスレンジ８のコンロバーナ８２と当接するように、高さ方向Ｈの位置を決めてから、吸盤６を第一壁９２に吸着させる。
これにより、載置台１は、第一壁９２に着脱可能に取付けられる。載置部４を所望の載置位置Ｐ1と待機位置Ｐ２との間を相互に繰り返し可能に回動させることができる。
【００４５】
＜載置台１の使用方法＞
次に、載置台１の使用方法について説明する。
なお、ガスレンジ８を使用するため、載置部４は、待機位置Ｐ２に配置されている状態であるとする。
【００４６】
まず、使用者は、図４（ａ）に示すように、載置部４を持ち、端４ｂが境界位置Ｐ３より前側Ｄ１に位置するように載置部４を回動させる。端４ｂを境界位置Ｐ３より前側Ｄ１に位置させることにより、それ以降は使用者が載置部４を持たなくても、載置部４を載置位置Ｐ１まで移動させることができる。
【００４７】
そして、ガスレンジ８を使用する場合には、図４（ｂ）に示すように、載置部４を持ち、端４ｂが境界位置Ｐ３より後側Ｄ２に位置するように載置部４を回動させる。端４ｂを境界位置Ｐ３より後側Ｄ２に位置させることにより、それ以降は使用者が載置部４を持たなくても、載置部４を待機位置Ｐ２まで移動させることができる。
【００４８】
これまで、上記実施形態を挙げて本発明を説明したが、本発明はこれらに限定されない。例えば、上記実施形態では、載置台１は、第一壁９２に取り付けられていたが、本発明はこれに限定されず、載置台１が第二壁９３に取り付けられてもよい。これにより、第一壁９２がない場合でも、載置台１を使用することができる。
【００４９】
また、支持部２は、上述した実施形態では、側面視でＬ字状に形成されているが、本発明はこれに限定されない。例えば、図５（ａ）に示すように、側面視で丁字状に形成されていてもよい。この場合にも、支持部２と同様に、着脱機構が上側に設けることができ、さらに、下側の板で支持部が傾くのを抑えることができる。
【００５０】
また、支持部２は、図５（ｂ）に示すように、待機位置Ｐ２に配置された載置部４と当接する傾斜面２６を有していてもよい。傾斜面２６の角度によっては、図５（ｃ）に示すように、載置部４を第一壁９２に当接させることなく、停止させることができる。
【００５１】
載置台１は、支持部２載置部４が待機位置Ｐ２に配置された状態を維持するための維持機構が設けられていてもよい。例えば、図５（ｄ）に示すように、支持部２と載置部４にそれぞれ永久磁石３が取り付けられてもよい。二つの永久磁石３は、互いに吸着するように載置部４が待機位置Ｐ２に配置されたときに互いに吸着するように取付けられている。これにより、載置部４を待機位置Ｐ２に配置させた状態を維持することができる。なお、支持部２と載置部４の一方が磁石３の吸着する金属製である場合には、他方にのみ磁石３を取り付ければ足りる。
【００５２】
さらに、上述した実施形態では、吸盤６が着脱機構を構成していたが、本発明はこれに限定されない。吸盤６の代わりに、螺子が用いられてもよい。その場合には、第一板２１にねじが貫通するねじ穴が形成されている。
【００５３】
また、上述した実施形態では、載置台１は、載置部４が載置位置Ｐ１に位置したときに、下面４３が被覆物であるガスレンジ８のコンロバーナ８２と接触しているが、本発明はこれに限定されない。載置部４が載置位置Ｐ１に位置したときに、下面４３が被覆物と接触しないように取付けられてもよい。使用者が作業しやすい高さに載置台１を取り付けることにより、使用者の作業効率を向上させることができる。この場合に、当接部４４は、被覆物と当接するように形成されていてもよい。
【００５４】
上述した実施形態では、載置部４が載置位置Ｐ１に位置したときに、当接部４４が被覆物であるガスレンジ８の本体８１に当接するように形成されているが、本発明はこれに限定されない。載置部４が載置位置Ｐ１に位置したときに、当接部４４が被覆物と当接しないように形成されていてもよい。それにより、当接部４４を摘みとしてより好適に用いることができる場合がある。
【００５５】
上述した実施形態では、当接部４４が載置部４に１つ設けられているが、本発明はこれに限定されない。載置部４に２以上の当接部４４が設けられていてもよい。
【００５６】
また、上述した実施形態では、載置部４に当接部４４が形成されているが、本発明はこれに限定されない。当接部が形成されていなくてもよい。この場合も載置部４の上面４１に安定して物を置くことができる。
【００５７】
吸盤６の数は、上述した実施形態では、２つであるが、本発明はこれに限定されない。２つ以上の吸盤６が用いられてもよい。
【００５８】
また、上述した実施形態では、コンロバーナ８２ａ及びコンロバーナ８２ｂを有するガスレンジ８を挙げて説明したが、本発明は、これに限定されず、コンロバーナ８２が一つの場合や、２つ以上の場合も使用することができる。
【００５９】
上述した実施形態では、被覆物としては、ガスレンジ８を挙げて説明したが、本発明はこれに限定されない。被覆物としては、ガスレンジ８の他に、図示を省略する台所９の流し場や、テレビや、洗濯機等を挙げることができる。
【産業上の利用可能性】
【００６０】
本発明は、以上のように構成したので、使用者が必要に応じて取付けることができる載置台を提供することができる。
【符号の説明】
【００６１】
１      載置台
２      支持部
３      磁石
４      載置部
６      吸盤
７      蝶番
８      ガスレンジ
９      台所
Ｈ      高さ方向
Ｄ      奥行方向
Ｗ      幅方向
Ｐ１    載置位置
Ｐ２    待機位置
Ｐ３    境界位置
【図１】
2019170847.tif 000003
【図２】
2019170847.tif 000004
【図３】
2019170847.tif 000005
【図４】
2019170847.tif 000006
【図５】
2019170847.tif 000007